(57)【要約】【課題】印刷用紙の無駄な消費を抑えつつ対面する二人の者の双方が参照しやすい印刷物を作成することが可能な画像形成装置及び画像形成方法を提供する。【解決手段】画像形成装置は、原稿画像に応じた正順配置画像Ｇ１を印刷用紙上の領域Ｒ１１（或いは、領域Ｒ２１）に配置するとともに、原稿画像を１８０度だけ回転させた回転画像に応じた逆順配置画像Ｇ２を印刷用紙上の残りの領域Ｒ１２（或いは、領域Ｒ２２）に配置し、各々の領域に正順配置画像Ｇ１及び逆順配置画像Ｇ２がそれぞれ配置された画像を印刷用紙上に形成する。【選択図】図３
2013010194.tif 000002
【特許請求の範囲】
【請求項１】
記録媒体上に画像を形成する画像形成装置において、
原稿画像に応じた第１画像を前記記録媒体上の第１領域に配置するとともに、前記原稿画像を１８０度だけ回転させた回転画像に応じた第２画像を前記記録媒体上の残りの第２領域に配置する配置手段と、
前記第１，第２領域に前記第１，第２画像がそれぞれ配置された画像を前記記録媒体上に形成する画像形成手段と
を備えることを特徴とする画像形成装置。
【請求項２】
前記第１，第２画像は、前記原稿画像を縮小した画像であることを特徴とする請求項１記載の画像形成装置。
【請求項３】
前記第１，第２画像の少なくとも一方は、前記原稿画像のモノクロ画像であることを特徴とする請求項１又は請求項２記載の画像形成装置。
【請求項４】
前記第１，第２領域は、縦置きにされた前記記録媒体の全領域を上下に分割して得られる領域であることを特徴とする請求項１から請求項３の何れか一項に記載の画像形成装置。
【請求項５】
前記第１，第２領域は、横置きにされた前記記録媒体の全領域を左右に分割して得られる領域であることを特徴とする請求項１から請求項３の何れか一項に記載の画像形成装置。
【請求項６】
前記記録媒体の全領域を分割する位置は、前記第１，第２画像の大きさに応じて設定されることを特徴とする請求項４又は請求項５記載の画像形成装置。
【請求項７】
記録媒体上に画像を形成する画像形成方法であって、
原稿画像に応じた第１画像を前記記録媒体上の第１領域に配置するとともに、前記原稿画像を１８０度だけ回転させた回転画像に応じた第２画像を前記記録媒体上の残りの第２領域に配置する第１ステップと、
前記第１，第２領域に前記第１，第２画像がそれぞれ配置された画像を前記記録媒体上に形成する第２ステップと
を有することを特徴とする画像形成方法。
【発明の詳細な説明】
【技術分野】
【０００１】
本発明は、画像形成装置及び画像形成方法に関する。
【背景技術】
【０００２】
複写機、プリンター、ファクシミリ、或いはこれら各機器の機能を複合化した複合機等の画像形成装置は、ユーザーの利便性の向上を図るため或いは付加価値を高めるために多機能化が進んでいる。例えば、近年の画像形成装置は、画像が形成される記録媒体としての印刷用紙を節約し得る機能である集約印刷機能や小冊子機能等を備えるものが殆どである。ここで、集約印刷機能とは複数ページを一枚の印刷用紙の片面又は両面に集約して印刷する機能であり、小冊子機能とは小冊子の作成を可能にすべく印刷すべきページの並び替えを行った上で集約印刷する機能である。
【０００３】
以下の特許文献１には、画像形成装置の技術分野における技術ではないものの、画面を正面以外の方向から観察しながら操作する場合に、操作方向と画面方向との違和感を解消することができる技術が開示されている。具体的に、以下の特許文献１では、１つの表示装置と表示装置の周囲に配置された複数の入力装置とを備える情報処理装置において、操作される入力装置に応じて表示装置の表示方向を９０度単位で回転させるとともに、入力装置の入力座標系を表示方向の回転角度に応じて変換することで、操作方向と画面方向との違和感を解消している。
【先行技術文献】
【特許文献】
【０００４】
【特許文献１】特開２００１−１７５３７６号公報
【発明の概要】
【発明が解決しようとする課題】
【０００５】
ところで、社会生活を営む上で、二人の者が対面した状態で印刷物を参照しながら対話するといった状況がしばしば起こり得る。例えば、店舗にて商品の購入を希望している購入者が、販売員と対面した状態でパンフレットを参照しつつ商品についての説明を受ける場合、或いは、会議室にて委任を受けた代理人が、発明者と対面した状態で発明提案書を参照しつつ発明内容の説明を受ける場合等である。
【０００６】
このような場合において、パンフレットや発明提案書等の印刷物が一つしかないときには、印刷物は、対面している二人の者の一方の正面に配置され、或いは、対面している二人の中間位置において９０度回転させた状態に配置されることが多い。前者の配置の場合には、他方の者にとっては印刷物が逆さまに配置されることになるため印刷物が参照しにくくなる（見づらくなる）という問題があった。また、後者の配置の場合には、印刷物を見やすくするには、対面している二人の者が頭や体を９０度捻る必要があるという問題があった。
【０００７】
ここで、パンフレットや発明提案書等の印刷物が複数（少なくとも二つ）ある場合には、対面する二人の者の正面にそれぞれ印刷物を配置することができるため、印刷物が一つしかない場合のような不具合（例えば、印刷物を逆さに読む、或いは、頭や体を捻って印刷物を読む等）は生じない。しかしながら、かかる場合には、同じ印刷物を複数用意する必要があるため、印刷用紙が無駄に消費されるという問題があった。
【０００８】
本発明は、上記事情に鑑みてなされたものであり、印刷用紙の無駄な消費を抑えつつ対面する二人の者の双方が参照しやすい印刷物を作成することが可能な画像形成装置及び画像形成方法を提供することを目的とする。
【課題を解決するための手段】
【０００９】
上記課題を解決するために、本発明の画像形成装置は、記録媒体上に画像を形成する画像形成装置において、原稿画像に応じた第１画像を前記記録媒体上の第１領域に配置するとともに、前記原稿画像を１８０度だけ回転させた回転画像に応じた第２画像を前記記録媒体上の残りの第２領域に配置する配置手段と、前記第１，第２領域に前記第１，第２画像がそれぞれ配置された画像を前記記録媒体上に形成する画像形成手段とを備えることを特徴としている。
また、本発明の画像形成装置は、前記第１，第２画像が、前記原稿画像を縮小した画像であることを特徴としている。
また、本発明の画像形成装置は、前記第１，第２画像の少なくとも一方は、前記原稿画像のモノクロ画像であることを特徴としている。
また、本発明の画像形成装置は、前記第１，第２領域が、縦置きにされた前記記録媒体の全領域を上下に分割して得られる領域であることを特徴としている。
或いは、本発明の画像形成装置は、前記第１，第２領域が、横置きにされた前記記録媒体の全領域を左右に分割して得られる領域であることを特徴としている。
また、本発明の画像形成装置は、前記記録媒体の全領域を分割する位置が、前記第１，第２画像の大きさに応じて設定されることを特徴としている
本発明の画像形成方法は、記録媒体上に画像を形成する画像形成方法であって、原稿画像に応じた第１画像を前記記録媒体上の第１領域に配置するとともに、前記原稿画像を１８０度だけ回転させた回転画像に応じた第２画像を前記記録媒体上の残りの第２領域に配置する第１ステップと、前記第１，第２領域に前記第１，第２画像がそれぞれ配置された画像を前記記録媒体上に形成する第２ステップとを有することを特徴としている。
【発明の効果】
【００１０】
本発明によれば、原稿画像に応じた第１画像を記録媒体上の第１領域に配置するとともに、原稿画像を１８０度だけ回転させた回転画像に応じた第２画像を記録媒体上の残りの第２領域に配置し、第１，第２領域に第１，第２画像がそれぞれ配置された画像を記録媒体上に形成しているため、印刷用紙の無駄な消費を抑えつつ対面する二人の者の双方が参照しやすい印刷物を作成することが可能なであるという効果がある。
【図面の簡単な説明】
【００１１】
【図１】本発明の一実施形態による画像形成装置としての複合機が用いられるネットワークシステムの概略構成を示すブロック図である。
【図２】本発明の一実施形態による画像形成装置としての複合機の要部構成を示すブロック図である。
【図３】本発明の一実施形態において、画像処理部で行われる処理を説明するための図である。
【図４】本発明の一実施形態における複合機の動作を示すフローチャートである。
【図５】本発明の一実施形態において作成された印刷物を二人の者が対面した状態で参照する様子を示す図である。
【発明を実施するための形態】
【００１２】
以下、図面を参照して本発明の一実施形態による画像形成装置及び画像形成方法について詳細に説明する。尚、以下では、画像形成装置が複合機である場合を例に挙げて説明する。
【００１３】
図１は、本発明の一実施形態による画像形成装置としての複合機が用いられるネットワークシステムの概略構成を示すブロック図である。図１に示す通り、ネットワークシステムＮＳは、複合機１と端末装置２とがネットワークＮを介して互いに接続された構成であり、複合機１と端末装置２との間で各種データ（例えば、原稿画像データ）の授受が可能である。
【００１４】
複合機１は、本体部１ａ、スキャナー部１ｂ、及び操作表示パネル１ｃ等を備えており、コピー機能、プリント機能、ファクシミリ送信／受信機能を併せ持っている。この複合機１は、ネットワークＮを介して端末装置２との間で通信が可能であり、端末装置２から送信されてきた原稿画像データの印刷、スキャナー部１ｂで読み取った原稿画像データの端末装置２に向けた送信等が可能である。尚、詳細は後述するが、複合機１には、対面する二人の者の双方が参照しやすい印刷物を作成する動作モードである対面印刷モードが設けられている。
【００１５】
端末装置２は、ＣＰＵ（中央処理装置）、メモリ、ハードディスク、ディスプレイ等を備えるパーソナルコンピュータ（ＰＣ）等のコンピュータによって実現され、複合機１で印刷すべき原稿画像データの作成、複合機１に対する印刷指示、複合機１から送信されてくる原稿画像データの受信等が可能である。尚、詳細は後述するが、端末装置２は、複合機１に対する印刷指示として、上記の対面印刷モードで印刷すべき旨を指示することが可能である。ネットワークＮは、例えばインターネット或いはＬＡＮ（Local Area Network）等である。
【００１６】
図２は、本発明の一実施形態による画像形成装置としての複合機の要部構成を示すブロック図である。図２に示す通り、複合機１は、制御部１１、操作表示部１２、通信Ｉ／Ｆ部１３、画像読取部１４、画像データ記憶部１５、画像処理部１６（配置手段）、用紙搬送部１７、画像形成部１８（画像形成手段）、及び各種センサー群１９を備える。
【００１７】
制御部１１は、各種センサー群１９から出力される各種検出信号を参照しつつ、操作表示部１２から入力される操作指示、又は通信Ｉ／Ｆ部１３から入力される各種指示に応じて複合機１の動作を制御する。例えば、画像読取部１４による原稿画像データの読み取り制御、通信Ｉ／Ｆ部１３における原稿画像データの受信制御、或いは、画像データ記憶部１５に記憶されている原稿画像データの印刷制御等を行う。
【００１８】
また、制御部１１は、端末装置２から送信されてきた印刷指示、或いは、操作表示パネル１ｃから入力された印刷指示が、上述した対面印刷モードで印刷すべき旨の印刷指示である場合には、画像処理部１６、用紙搬送部１７、及び画像形成部１８を制御して、複合機１を対面印刷モードで動作させる制御を行う。尚、かかる制御の詳細については後述する。
【００１９】
操作表示部１２は、図１に示す操作表示パネル１ｃ及び各種操作キーを備えており、操作表示パネル１ｃや各種操作キーに対する操作内容を制御部１１に出力するとともに、制御部１１の制御の下で操作表示パネル１ｃに種々の情報を表示する。操作表示部１２が備える各種操作キーは、例えばコピー機能切替キー、プリント機能切替キー、スキャン機能切替キー、ファクシミリ機能切替キー、スタートキー、ストップ／クリアキー、電源キー、テンキー（数値入力キー）が挙げられる。
【００２０】
尚、上記のコピー機能切替キー、プリント機能切替キー、スキャン機能切替キー、及びファクシミリ機能切替キーは、それぞれの機能をユーザーが使用する場合に、各機能の動作モードへ複合機１を切り替える為のキーである。また、前述した対面印刷モードを設定するためのキーは、例えばソフトキーによって用意されて操作表示パネル１ｃに表示される。
【００２１】
通信Ｉ／Ｆ部１３は、図１に示すネットワークＮに接続されており、ネットワークＮを介して端末装置２との間で各種信号の送受信を行う。画像読取部１４は、ＡＤＦ（自動原稿送り装置）及びＣＣＤ（Charge Coupled Device）センサー等が設けられたスキャナー部１ｂ（図１参照）を備えており、ＡＤＦによって順次給紙される原稿の画像をＣＣＤセンサーに読み取らせ、原稿画像に基づく原稿画像データを出力する。尚、画像読取部１４から出力された原稿画像データは制御部１１を介して画像データ記憶部１５に記憶される。
【００２２】
画像データ記憶部１５は、例えばハードディスクドライブによって実現され、制御部１１の制御の下で各種データを記憶する。例えば、通信Ｉ／Ｆ部１３がネットワークＮを介して端末装置２から受信する原稿画像データ等の画像データ、或いは画像処理部１６で画像処理が行われた画像データを一時的に記憶する。画像処理部１６は、制御部１１の制御の下で画像データ記憶部１５に記憶された画像データに対して各種の画像処理を行う。例えば、画像データの圧縮・伸張処理や画像データの印字率の算出処理等を行う。
【００２３】
また、画像処理部１６は、前述した対面印刷モードが指示されている場合には、原稿画像データに応じた画像（第１画像）と、原稿画像を１８０度だけ回転させた回転画像に応じた画像（第２画像）とを印刷用紙（記録媒体）上の異なる領域（第１，第２領域）にそれぞれ配置させる処理を行う。かかる処理を行うのは、対面する二人の者の双方が参照しやすい印刷物を作成するためである。
【００２４】
ここで、上記の原稿画像データに応じた画像とは、原稿画像データで示される原稿画像を縮小した画像をいい、上記の回転画像に応じた画像とは、回転画像を縮小した画像をいう。これらの画像は、原稿画像（回転画像）を単純に縮小した画像であっても良く、原稿画像（回転画像）がカラーの画像である場合にはこれらを縮小したモノクロ画像であっても良い。以下、上記の原稿画像データに応じた画像を「正順配置画像」といい、上記の回転画像に応じた画像を「逆順配置画像」という。
【００２５】
図３は、本発明の一実施形態において、画像処理部で行われる処理を説明するための図である。いま、原稿画像データで示される原稿画像が、文字列「あいうえお」と文字列「かきくけこ」とを二段組みにしたものであるとする。また、説明を簡単にするため、正順配置画像及び逆順配置画像の縮小率が同じである場合を考える。かかる場合において、正順配置画像Ｇ１は、上記の二段組みの画像を縮小したものになり、逆順配置画像Ｇ２は、正順配置画像Ｇ１と同じ縮小率で上記の二段組の画像を縮小したものを１８０度だけ回転したものになる。
【００２６】
図３（ａ）に示す通り、印刷用紙が縦置きである場合には、画像処理部１６は、印刷用紙の真ん中の位置において印刷用紙の全領域を上下に分割して２つの領域Ｒ１１，Ｒ１２を得て、下側に位置する領域Ｒ１１（第１領域）に正順配置画像Ｇ１を配置し、上側に位置する領域Ｒ１２（第２領域）に逆順配置画像Ｇ２を配置する処理を行う。これに対し、図３（ｂ）に示す通り、印刷用紙が横置きである場合には、画像処理部１６は、印刷用紙の真ん中の位置において印刷用紙の全領域を左右に分割して２つの領域Ｒ２１，Ｒ２２を得て、左側に位置する領域Ｒ２１（第１領域）に正順配置画像Ｇ１を配置し、右側に位置する領域Ｒ２２に逆順配置画像Ｇ２を配置する。
【００２７】
尚、ここでは説明を簡単にするために、正順配置画像及び逆順配置画像の縮小率が同じであって、印刷用紙の全領域が同じ面積を有する２つの領域Ｒ１１，Ｒ１２或いは領域Ｒ２１，Ｒ２２に二等分される場合を例に挙げて説明している。しかしながら、画像処理部１６は、正順配置画像及び逆順配置画像の大きさ（縮小率）に応じて印刷用紙の全領域を分割する位置を設定する。例えば、図３（ａ）に示す例において、逆順配置画像Ｇ２よりも正順配置画像Ｇ１が大きい場合（逆順配置画像Ｇ２の縮小率よりも正順配置画像Ｇ１の縮小率が小さい場合）には、領域Ｒ１２よりも領域Ｒ１１の面積が大きくなるように分割位置が設定される。
【００２８】
図２に戻り、用紙搬送部１７は、搬送ローラー、搬送ローラー駆動用のモーター等を備えており、給紙カセットに収納されている印刷用紙を画像形成部１８に搬送するとともに、画像形成部１８で画像形成処理が行われた印刷用紙を排紙トレイに搬送する。画像形成部１８は、制御部１１の制御の下で、画像データ記憶部１５に記憶されている原稿画像データ等の画像データを用いて画像形成処理を行う。具体的には、上記の各種画像データに応じたトナー像を形成し、形成したトナー像を用紙搬送部１７から搬送される印刷用紙に転写し、印刷用紙に転写したトナー像を定着する。
【００２９】
各種センサー群１９は、用紙切れ検出センサー、用紙詰まり検出センサー、用紙位置検出センサー、温度センサー等の画像形成動作に必要な各種センサーであり、それぞれのセンサーで検出した各種の情報を検出信号として制御部１１に出力する。
【００３０】
次に、上記構成における複合機１の動作について詳細に説明する。図４は、本発明の一実施形態における複合機の動作を示すフローチャートである。図４に示す処理は、端末装置２からの印刷指示がネットワークＮを介して送信されてくる度に開始される。或いは、操作表示部１２に設けられたコピー機能切替キーが操作されてコピー機能が有効になっている状態で、ユーザーが画像読取部１４に設けられたＡＤＦに原稿をセットし、操作表示部１２に設けられたスタートキーを操作してコピー開始の指示を行うことにより開始される。尚、ここでは、説明を簡単にするために、対面印刷モードにおける縮小率（図３中に示す正順配置画像Ｇ１及び逆順配置画像Ｇ２の縮小率）が同じに設定されているとする。
【００３１】
図４に示す処理が開始されると、まず入力された印刷指示（コピー開始の指示）が対面印刷モードで印刷すべき旨の印刷指示であるか否かが制御部１１で判断される（ステップＳ１１）。入力された印刷指示が対面印刷モードで印刷すべき旨の印刷指示でないと判断した場合（例えば、通常の印刷指示、集約印刷すべき旨の印刷指示、或いは小冊子印刷すべき旨の印刷指示等である場合）には、ステップＳ１１の判断結果が「ＮＯ」になり、指示に応じた印刷処理（通常印刷、集約印刷、小冊子印刷等）が制御部１１の制御の下で行われる（ステップＳ１２）。
【００３２】
これに対し、入力された印刷指示が対面印刷モードで印刷すべき旨の印刷指示である場合（ステップＳ１１の判断結果が「ＹＥＳ」の場合）には、端末装置２から送信されてきた原稿画像データ（或いは、画像読取部１４で読み取られた原稿画像データ）であって、画像データ記憶部１５に記憶されている原稿画像データが制御部１１によって読み出される（ステップＳ１３）。制御部１１によって読み出された原稿画像データは、画像処理部１６に出力される。
【００３３】
制御部１１からの原稿画像データが入力されると、制御部１１の制御の下で、対面印刷用画像データを作成する処理が画像処理部１６によって行われる（ステップＳ１４：第１ステップ）。具体的には、まず印刷用紙が縦置きである場合には、図３（ａ）に示す通り、印刷用紙の真ん中の位置において印刷用紙の全領域を上下の２つの領域Ｒ１１，Ｒ１２に分割する処理が行われる。次に、原稿画像データで示される原稿画像を縮小することによって正順配置画像Ｇ１を作成するとともに、原稿画像データで示される原稿画像を１８０度だけ回転した回転画像を、正順配置画像Ｇ１と同じ縮小率で縮小することによって逆順配置画像Ｇ２を作成する処理が行われる。そして、分割された２つの領域Ｒ１１，Ｒ１２のうちの下側に位置する領域Ｒ１１に正順配置画像Ｇ１を配置するとともに、上側に位置する領域Ｒ１２に逆順配置画像Ｇ２を配置する処理が行われる。これにより、対面印刷用画像データが作成される。
【００３４】
尚、印刷用紙が横置きである場合には、図３（ｂ）に示す通り、印刷用紙の真ん中の位置において印刷用紙の全領域を左右の２つの領域Ｒ２１，Ｒ２２に分割する処理が行われる。そして、上記の処理と同様に正順配置画像Ｇ１及び逆順配置画像Ｇ２を作成する処理が行われ、分割された２つの領域Ｒ２１，Ｒ２２のうちの左側に位置する領域Ｒ２１に正順配置画像Ｇ１を配置するとともに、右側に位置する領域Ｒ２２に逆順配置画像Ｇ２を配置する処理が行われることにより、対面印刷用画像データが作成される。
【００３５】
作成された対面印刷用画像データは、制御部１１によって読み出されて画像データ記憶部１５に一時的に記憶された後、再び制御部１１に読み出されて画像形成部１８に送られる。尚、画像データ記憶部１５に記憶させる必要が無い場合には、画像処理部１６で作成された対面印刷用画像データを直接画像形成部１８に送るようにしても良い。対面印刷用画像データが画像形成部１８に入力されると、印刷用紙に対する印刷が行われる（ステップＳ１５：第２ステップ）。
【００３６】
具体的には、用紙搬送部１７によって印刷用紙の搬送が開始されるとともに、対面印刷用画像データに応じたトナー像の形成が画像形成部１８によって開始される。画像形成部１８でトナー像が形成されると、用紙搬送部１７で搬送される印刷用紙に転写されて定着される。トナー像が定着された印刷用紙は用紙搬送部１７によって排紙トレイに搬送される。このようにして、対面印刷用画像データの印刷が行われる。
【００３７】
図５は、本発明の一実施形態において作成された印刷物を二人の者が対面した状態で参照する様子を示す図である。図５（ａ）に示す例は、縦置きの印刷用紙を上下に分割して作成された印刷物（図３（ａ）参照）を、対面する二人の者Ｐ１，Ｐ２の間に縦置きに配置した例であり、図５（ｂ）に示す例は、横置きの印刷用紙を左右に分割して作成された印刷物（図３（ｂ）参照）を、対面する二人の者Ｐ１，Ｐ２の間に横置きに配置した例である。
【００３８】
また、図５（ｃ）に示す例は、縦置きの印刷用紙を異なる面積で上下に分割して作成された印刷物を、対面する二人の者Ｐ１，Ｐ２の間に縦置きに配置した例であり、図５（ｄ）に示す例は、図５（ｃ）に示す例において、面積が大きな一方の領域Ｒ４２にカラー画像を形成した例である。尚、図５（ｄ）に示す例では、例えば、上段の文字列「あいうえお」が青色で印刷され、下段の文字列「かきくけこ」が赤色で印刷されている。
【００３９】
図５（ａ）〜（ｄ）に示す通り、対面印刷モードで作成された印刷物を対面する二人の者の間に配置すると、分割された２つの領域のうちの何れか一方の領域に配置される画像が一方の者に対して正順となるように配置され、他方の領域に配置される画像が他方の者に対して正順となるように配置される。具体的に、領域Ｒ１１，Ｒ２１，Ｒ３１，Ｒ４１に配置された画像が一方の者Ｐ１に対して正順となるように配置される一方で、領域Ｒ１２，Ｒ２２，Ｒ３２，Ｒ４２に配置された画像が他方の者Ｐ２に対して正順となるように配置される。このため、二人の者Ｐ１，Ｐ２は、印刷物を逆さに読む、或いは、頭や体を捻って印刷物を読む等をしなくとも、自身に対して正順となっている画像を参照するだけで容易に印刷物を読むことができる。
【００４０】
また、図５（ｃ），（ｄ）に示す通り、領域Ｒ３２，Ｒ４２の面積を領域Ｒ３１，Ｒ４１の面積よりも大きくすることで、領域Ｒ３２，Ｒ４２に配置される画像を領域Ｒ３１，Ｒ４１に配置される画像よりも大きくすることができる。これにより、例えば、一方の者Ｐ１が説明をする者で、他方の者Ｐ２が説明を受ける者である場合に、領域Ｒ３１，Ｒ４１に配置された小さな画像が一方の者Ｐ１に対して正順となり、且つ、領域Ｒ３２，Ｒ４２に配置された大きな画像が他方の者Ｐ２に対して正順となるように配置すれば、他方の者Ｐ２は大きく印刷された見やすい印刷物を参照しながら一方の者Ｐ１の説明を受けることができる。
【００４１】
更に、図５（ｄ）に示す通り、領域Ｒ４２に配置された大きな画像をカラー画像とすることで、他方の者Ｐ２はカラーで印刷された見やすい印刷物を参照しながら一方の者Ｐ１の説明を受けることができる。また、図５（ｄ）に示す例では、領域Ｒ４２に配置された大きな画像のみがカラー画像とされており、領域Ｒ４１に配置された小さな画像はモノクロ画像である。このため、印刷用紙の全面をカラー印刷する場合に比べて、印刷に要するコストを抑えることができる。
【００４２】
以上の通り、本実施形態では、原稿画像に応じた正順配置画像を印刷用紙上の１つの領域Ｒ１１，Ｒ２１，Ｒ３１，Ｒ４１に配置するとともに、原稿画像を１８０度だけ回転させた回転画像に応じた正順配置画像を印刷用紙上の残りの領域Ｒ１２，Ｒ２２，Ｒ３２，Ｒ４２に配置し、このように配置された画像を印刷用紙に印刷している。このため、印刷用紙の無駄な消費を抑えつつ対面する二人の者の双方が参照しやすい印刷物を作成することが可能である。
【００４３】
以上、本発明の一実施形態による画像形成装置及び画像形成方法について説明したが、本発明は上述した実施形態に制限されることなく、本発明の範囲内で自由に変更が可能である。例えば、上記実施形態では、縦置きの印刷用紙を上下に分割する例（図３（ａ））、及び、横置きの印刷用紙を左右に分割する例（図３（ｂ））を例に挙げて説明したが、ユーザーが分割方向を任意に選択可能としても良い。また、分割された領域に対する２つの画像（図３（ａ），（ｂ）に示す正順配置画像Ｇ１，逆順配置画像Ｇ２等）の配置も、ユーザーが任意に選択可能としても良い。
【００４４】
また、上記実施形態では、本発明に係る画像形成装置が複合機である場合を例に挙げて説明したが、本発明は、プリンター、複写機、ファクシミリ等の画像形成装置にも適用することができる。
【符号の説明】
【００４５】
画像形成装置画像処理部画像形成部
【図１】
2013010194.tif 000003
【図２】
2013010194.tif 000004
【図３】
2013010194.tif 000005
【図４】
2013010194.tif 000006
【図５】
2013010194.tif 000007